(57)【要約】【課題】パスワード入力方式に比べて利用者の負荷を軽減し、パスワード漏洩の危険性を抑制した画像表示装置を提供する。【解決手段】外部からの入力画像を表示する画像処理部１００と、入力画像を表示するか否かの判定基準となる認証画像、および入力画像において認証画像か否かを判定する範囲を示す枠の位置情報が格納された記憶部２２と、入力画像を認識し、認証要求の指示が入力されると、入力画像における位置情報による枠内の画像が認証画像と一致するか否かを判定し、これらの画像が一致すれば、入力画像を画像処理部に表示させる制御部１０とを有する。【選択図】図２
2008217324.tif 000002
【特許請求の範囲】
【請求項１】
外部からの入力画像を表示する画像処理部と、
前記入力画像を表示するか否かの判定基準となる認証画像、および前記入力画像において前記認証画像か否かを判定する範囲を示す枠の位置情報が格納された記憶部と、
前記入力画像を認識し、認証要求の指示が入力されると、前記入力画像における前記位置情報による枠内の画像が前記認証画像と一致するか否かを判定し、これらの画像が一致すれば、前記入力画像を前記画像処理部に表示させる制御部と、
を有する画像表示装置。
【請求項２】
前記入力画像がコンピュータの表示部に表示される画像であり、
前記認証画像が前記コンピュータのデスクトップ画面の背景に用いられる画像の一部である請求項１記載の画像表示装置。
【請求項３】
記憶部、画像処理部および制御部を備えた画像表示装置による認証方法であって、
外部からの入力画像を表示するか否かの判定基準となる認証画像、および前記入力画像において前記認証画像か否かを判定する範囲を示す枠の位置情報を前記記憶部に格納し、
前記入力画像を認識し、認証要求の指示が入力されると、前記入力画像における前記位置情報による枠内の画像が前記認証画像と一致するか否かを判定し、これらの画像が一致すれば、前記入力画像を前記画像処理部に表示させる、認証方法。
【請求項４】
前記入力画像がコンピュータの表示部に表示される画像であり、
前記認証画像が前記コンピュータのデスクトップ画面の背景に用いられる画像の一部である請求項３記載の認証方法。
【請求項５】
記憶部、画像処理部および制御部を備えた画像表示装置の制御部に実行させるためのプログラムであって、
外部からの入力画像を表示するか否かの判定基準となる認証画像、および前記入力画像において前記認証画像か否かを判定する範囲を示す枠の位置情報を前記記憶部に格納し、
前記入力画像を認識し、認証要求の指示が入力されると、前記入力画像における前記位置情報による枠内の画像が前記認証画像と一致するか否かを判定し、これらの画像が一致すれば、前記入力画像を前記画像処理部に表示させる処理を前記制御部に実行させるためのプログラム。
【請求項６】
前記入力画像がコンピュータの表示部に表示される画像であり、
前記認証画像が前記コンピュータのデスクトップ画面の背景に用いられる画像の一部である請求項５記載のプログラム。
【発明の詳細な説明】
【技術分野】
【０００１】
本発明は、プロジェクタおよびディスプレイ装置を含む画像表示装置、認証方法、および、画像表示装置の制御部に実行させるためのプログラムに関する。
【背景技術】
【０００２】
近年、プロジェクタは、高輝度化、小型化が進み、学校や会社だけでなく、家庭などでも使用されることが多くなっている。しかし、小型化が進むことで、盗難される危険が増している。
【０００３】
盗難後の転売を防止するために、各メーカーのプロジェクタには特定のユーザしか使用できないよう、セキュリティロック機能を搭載する機種が増えている（特許文献１参照）。
【０００４】
特定のユーザのみ使用できるようなセキュリティロック機能を持つプロジェクタにおいては、パスワード入力方式が多く使用されている。パスワード入力方式を簡単に説明する。予めプロジェクタにパスワードを登録し、プロジェクタを起動するとき、登録したものと同じパスワードをプロジェクタに入力すれば、プロジェクタはセキュリティロックを解除し、入力される映像を投写する。入力したパスワードが登録したものと異なっていると、入力される映像を投写せず、全体が青色のブルースクリーン画面など、入力映像と無関係な画像を投写する。このように、正しいパスワードを入力しなければ、プロジェクタを使用することができない。
【０００５】
従来のパスワード入力方式のパスワード登録方法を説明する。図１０はパスワード登録方法を説明するための図である。
【０００６】
図１０（ａ）に示すように、投写像８０１にパスワード入力用ウィンドウを表示する。ユーザは、リモコンもしくはプロジェクタ本体のコントロールボタンを操作して、図１０（ｂ）の投写像８０２に示すように、ウィンドウにパスワードを入力する。次に、プロジェクタは、図１０（ｂ）で入力したパスワードで間違いないかを確認するために、図１０（ｃ）の投写像８０３に示すように、再度同じパスワードの入力を要求する。次に、入力したパスワードを登録してセキュリティロック機能を有効にしてよいか確認する投写像８０４を表示する（図１０（ｄ））。ユーザが「Ｙｅｓ」ボタンを選択して決定すると、プロジェクタはセキュリティロック機能を有効にする。
【０００７】
次に、従来のパスワード入力方式のセキュリティロックの動作について説明する。図１１はセキュリティロックの動作を説明するための図である。
【０００８】
ユーザがプロジェクタを起動すると、プロジェクタは、図１１（ａ）の左側のＰＣ画面９０１をまだ表示せず、図１１（ａ）の右側に示すように、パスワードの入力を要求する旨を投写像９０２に表示する。ユーザがリモコンもしくはプロジェクタ本体のコントロールボタンを操作してパスワードを入力すると、図１１（ｂ）の投写像９０３に示すように、プロジェクタは入力文字を全て「＊」で表示する。ユーザが入力したパスワードが間違っていると、図１１（ｃ）の投写画面９０４に示すように、パスワードが間違っていることを知らせるメッセージを表示する。このとき、プロジェクタはＰＣ画面９０１を投写しない。
【０００９】
次に、従来のパスワード入力方式のセキュリティロック解除について説明する。図１２はセキュリティロックの解除方法を説明するための図である。
【００１０】
ユーザがプロジェクタを起動すると、プロジェクタは図１２（ａ）の左側のＰＣ画面１９０１をまだ表示せず、図１２（ａ）の右側に示すように、パスワードの入力を要求する旨の投写像９０２を表示する。ユーザがリモコンもしくはプロジェクタ本体のコントロールボタンを操作してパスワードを入力すると、図１２（ｂ）の投写像９０３に示すように、プロジェクタは入力文字を全て「＊」で表示する。ユーザが入力したパスワードが事前に登録したパスワードと一致していると、図１２（ｃ）に示すように、プロジェクタは図１２（ａ）に示したＰＣ画面９０１を投写像１００４として表示する。
【特許文献１】特開２００６−２８５０７２号公報
【発明の開示】
【発明が解決しようとする課題】
【００１１】
従来のセキュリティロック機能はパスワード入力方式が多く使用されているが、パスワード入力方式では、プロジェクタの使用が許可されている人に対してパスワードを予め通知し、各人にパスワードを覚えてもらう必要がある。パスワードは、通常、簡単には予測できないものが望ましく、覚えにくいものになる傾向がある。そのため、プロジェクタの使用が許可された者であっても、プロジェクタを使うとときにパスワードを思い出せず、プロジェクタを使えないことが起きるという問題があった。
【００１２】
また、セキュリティロックを解除するためにパスワードを入力する際には、パスワード入力画面をスクリーンに投写しなければならない。多くの人を前にして大型スクリーンにパスワード入力画面が投写されると、パスワードの文字そのものは投写像に表示されないが、多くの人にパスワード入力操作を見られてしまう。プロジェクタの操作部の数字ボタンの配置と入力操作とから、その場にいる人にパスワードがわかってしまうおそれがある。そのため、パスワードが漏洩する危険性があるという問題があった。これは、プロジェクタの場合に限らず、パスワードの入力操作を必要とするものに共通の問題である。
【００１３】
本発明は上述したような従来の技術が有する問題点を解決するためになされたものであり、パスワード入力方式に比べて利用者の負荷を軽減し、パスワード漏洩の危険性を抑制した画像表示装置、認証方法、および、画像表示装置の制御部に実行させるためのプログラムを提供することを目的とする。
【課題を解決するための手段】
【００１４】
上記目的を達成するための本発明の画像表示装置は、
外部からの入力画像を表示する画像処理部と、
前記入力画像を表示するか否かの判定基準となる認証画像、および前記入力画像において前記認証画像か否かを判定する範囲を示す枠の位置情報が格納された記憶部と、
前記入力画像を認識し、認証要求の指示が入力されると、前記入力画像における前記位置情報による枠内の画像が前記認証画像と一致するか否かを判定し、これらの画像が一致すれば、前記入力画像を前記画像処理部に表示させる制御部と、
を有する構成である。
【００１５】
本発明では、認証のための情報をパスワードとして使用者が覚えておくのではなく、画像情報としてプロジェクタ本体に登録している。そして、入力画像の所定の位置に認証画像に一致する画像があるか否かを調べることで、正規の利用であるか否かが判定される。
【発明の効果】
【００１６】
本発明によれば、認証のためのパスワードを使用者が覚える代わりに認証のための画像情報を登録しているので、使用者がパスワードを覚えている必要がない。また、パスワードの入力操作が必要ないため、パスワード漏洩の危険性が抑制される。
【発明を実施するための最良の形態】
【００１７】
本発明の画像表示装置は、認証のための特定の画像が予め登録され、使用開始時に入力される画像にその特定の画像が含まれているか否かを判定することで、使用者を認証することを特徴とする。以下、画像表示装置がプロジェクタの場合で本発明の実施形態を説明する。
【００１８】
本実施形態のプロジェクタの構成を説明する。
【００１９】
図１は本実施形態のプロジェクタの一構成例を示すブロック図である。図１に示すように、プロジェクタ１は、投写レンズ１１と、フォーカス調整部１２と、画像処理部１００と、制御部１０と、操作部１５とを有する。プロジェクタ１に画像を入力する機器としては、パーソナルコンピュータ（以下、ＰＣと表記する）、テレビおよびＤＶＤプレーヤなどの情報処理装置が挙げられるが、本実施形態では、ＰＣ（不図示）がプロジェクタ１に接続され、ＰＣの表示部に表示される画像データが画像処理部１００に入力される場合とする。
【００２０】
なお、図に示していないが、プロジェクタ１には、光源と、光源からの光束を部分的に反射または透過する、液晶デバイスに代表される表示デバイスと、画像処理部１００からの画像データに基づいて表示デバイスを駆動する駆動部など、プロジェクタとしての機能を実現するための構成が設けられている。これらの構成は、従来と同様であるため、その詳細な説明を省略する。
【００２１】
投写レンズ１１は、ライトバルブによって形成された画像をスクリーン２に投写するための複数のレンズを有している。少なくとも一部のレンズが光軸に沿って前後に移動することで、スクリーン２上における焦点位置を調整することが可能である。焦点位置の調整が可能な機構としては、投写レンズ１１全体を移動する機構や、投写レンズ１１の一部のレンズを移動する機構など様々な機構を適用することが可能であるが、ここでは、広く一般的に用いられている、投写レンズのフォーカスレンズの位置が移動可能な機構を用いる。
【００２２】
フォーカス調整部１２は、投写レンズ１１におけるレンズの移動を行うためのレンズモータを有し、制御部１０からの制御信号に応じてレンズモータを駆動する。
【００２３】
操作部１５は、プロジェクタ１を動作させるための複数のコントロールボタンやスイッチなどが設けられている。赤外線通信によりユーザの指示をプロジェクタ本体に送信するためのリモートコントローラも含まれる。
【００２４】
画像処理部１００は、外部のＰＣから入力される映像信号に対して画像処理（Ａ／Ｄ変換、同期信号分離、ならびに、フレームメモリに対する画像データの書き込みおよび読み出しなど）を行う。以下に、画像処理部１００の構成を詳しく説明する。
【００２５】
図２は画像処理部および制御部の一構成例を示すブロック図である。
【００２６】
図２に示すように、画像処理部１００は、アナログＲＧＢ信号をデジタル信号に変換するＡＤコンバータ（ＡＤＣ）１０１と、ＤＶＩデジタル信号（ＴＭＤＳ信号）をデジタルＲＧＢ信号に変換するＤＶＩレシーバ１０２と、アナログＲＧＢ信号とＤＶＩデジタル信号のどちらの信号による画像を表示するかを選択するセレクタ１０３と、セレクタ１０３で選択されたデジタルＲＧＢ信号を液晶パネル（ＬＣＤ  Ｐａｎｅｌ）１０６に表示するために解像度変換を行うスケーリング部１０４と、スケーリング部１０４から出力されたＲＧＢ信号により画像を液晶パネル１０６に表示させるためのレベル変換等を行う液晶ドライバ（ＬＣＤ  Ｄｒｉｖｅｒ）１０５とを有する。
【００２７】
スケーリング部１０４には、ＶＲＡＭ（Ｖｉｄｅｏ  Ｒａｎｄｏｍ  Ａｃｃｅｓｓ  Ｍｅｍｏｒｙ）１０４ａが設けられている。スケーリング部１０４は、セレクタ１０３から受け取る画像データを液晶パネル１０６が表示可能な画像サイズに解像度変換してＶＲＡＭ１０４ａに書き込む。
【００２８】
セレクタ１０３は、アナログＲＧＢ信号とＤＶＩデジタル信号のそれぞれのデジタルＲＧＢ信号うち、外部からの選択指示にしたがっていずれか一方の信号を選択してスケーリング部１０４に送出する。アナログＲＧＢ信号とＤＶＩデジタル信号のそれぞれのデジタルＲＧＢ信号うち、いずれか一方しか入力されていなければ、入力されるデジタルＲＧＢ信号をスケーリング部１０４に送出してもよい。
【００２９】
スケーリング部１０４および液晶ドライバ１０５はローカルＢＵＳ１１０と接続されている。また、ローカルＢＵＳ１１０には、制御部１０が接続されている。
【００３０】
ここで、制御部１０の構成を説明する。本実施形態では、本発明に関連する画像処理のための構成を中心に説明する。図２に示すように、制御部１０は、スケーリング部１０４および液晶ドライバ１０５等の各部を制御するＣＰＵ（Ｃｅｎｔｒａｌ  Ｐｒｏｃｅｓｓｉｎｇ  Ｕｎｉｔ）１０７と、記憶部２２とを有する。記憶部２２には、ＣＰＵ１０７が実行するためのプログラムが格納されたＲＯＭ１０８と、セキュリティロックを解除するための認証画像が保存される認証画像用ＲＯＭ１０９とが設けられている。ＣＰＵ１０７は、ＲＯＭ１０８および認証画像用ＲＯＭ１０９とローカルＢＵＳ１１０を介して接続される。
【００３１】
認証画像用ＲＯＭ１０９には、認証画像の画像データとともに、認証画像の範囲を特定するための認証画像設定枠のＰＣ画面上の位置座標を示す位置情報と、認証画像設定枠内の大きさを示すサイズ情報が登録される。
【００３２】
認証画像設定枠が四角形である場合、位置情報は、四角形の４つの頂点のうちいずれか１つ、または、２つの対角線の交点の座標情報である。この場合、サイズ情報は、四角形の各辺の長さの情報である。四角形が正方形であれば、サイズ情報は１つの辺の長さの情報でよく、四角形が長方形であれば、サイズ情報は、対向する２つの辺の組のうち、各組の辺の長さの情報であればよい。また、画像設定枠は四角形に限らず、他の多角形であってもよい。
【００３３】
位置情報が認証画像設定枠の全ての頂点の座標を示すものであれば、サイズ情報を登録しなくてもよい。この場合、それらの頂点を結ぶ線が認証画像設定枠に相当する。さらに、認証画像設定枠の頂点および辺の座標を位置情報としてもよく、この場合もサイズ情報を登録する必要はない。以下では、位置情報とサイズ情報の両方を認証の際に利用する場合で説明する。
【００３４】
次に、図２を参照して、プロジェクタ１がＰＣから入力される画像を投写する際、入力される画像データを液晶パネルまで導くまでの流れを簡単に説明する。
【００３５】
まず、外部からアナログＲＧＢ信号が入力される場合、ＡＤコンバータ１０１にてデジタルＲＧＢ信号に変換されてセレクタ１０３に入力される。ＤＶＩデジタル信号が入力される場合、ＤＶＩレシーバ１０２でデジタルＲＧＢ信号に変換されて、セレクタ１０３に入力される。アナログＲＧＢ信号およびＤＶＩデジタル信号のそれぞれのデジタルＲＧＢ信号のうちいずれかがセレクタ１０３で選択され、選択されたデジタルＲＧＢ信号がスケーリング部１０４に入力される。
【００３６】
スケーリング部１０４は、セレクタ１０３から受信するデジタルＲＧＢ信号を液晶パネルサイズに合わせてスケーリングを行い、スケーリングしたデジタルＲＧＢ信号をＶＲＡＭ１０４ａに書き込む。そして、ＶＲＡＭ１０４ａに格納したデジタルＲＧＢ信号を液晶ドライバ１０５に送出する。デジタルＲＧＢ信号は、液晶ドライバ１０５でレベル変換され、液晶駆動信号が付加され、液晶パネル１０６に入力される。
【００３７】
本実施形態では、ＣＰＵ１０７は、ＰＣ画面がスクリーン２に表示されている間に、認証画像登録の指示が入力されると、認証画像設定枠をＶＲＡＭ１０４ａに書き込み、決定した旨の信号が入力されると、枠内の画像を登録してよいか否かを確認する旨のメッセージをＶＲＡＭ１０４ａに書き込む。続いて、確認した旨の信号が入力されると、認証画像設定枠で特定される認証画像、位置情報およびサイズ情報を認証画像用ＲＯＭ１０９に格納する。
【００３８】
また、ＣＰＵ１０７は、認証要求の指示が入力されると、入力される画像における、認証画像用ＲＯＭ１０９に登録された位置情報およびサイズ情報で特定される範囲の画像と、認証画像用ＲＯＭ１０９に登録された認証画像とが一致するか否かを判定する。これらの画像が一致しない場合、スケーリング部１０４に対して、ＶＲＡＭ１０４ａに格納された信号を液晶ドライバ１０５に送出させない。一方、これらの画像が一致する場合、スケーリング部１０４に対して、ＶＲＡＭ１０４ａの画像データを液晶ドライバ１０５に送出させる。
【００３９】
このようにして、セキュリティロックが動作する場合には、ＰＣ画面の画像は液晶パネル１０６に到達することができず、ＰＣ画面はスクリーン２に投写されない。一方、セキュリティロックが解除された場合には、ＰＣ画面の画像が液晶パネル１０６まで導かれ、ＰＣ画面がスクリーン２に投写されることになる。ＣＰＵ１０７が実行する上述の処理内容が、ＲＯＭ１０８に格納されるプログラムに予め記述されている。
【００４０】
次に、本実施形態のプロジェクタ１に特定の画像パターンを記憶させてセキュリティロックを行う、画像認識方式のセキュリティロック方法を説明する。
【００４１】
はじめに、認証画像の登録方法を説明する。図３は認証画像の登録方法を示すフローチャートであり、図４は認証画像の登録方法を説明するための図である。図４（ａ）の左側にはＰＣ画面４０１を示し、図４（ａ）の右側にはプロジェクタ１による投写像４０２を示す。図４（ｂ）、（ｃ）はプロジェクタによる投写像を示す。
【００４２】
ユーザがＰＣをプロジェクタ１に接続し、操作部１５を操作してＰＣ画面４０１をプロジェクタ１に投写させる。図４（ａ）のＰＣ画面４０１と投写像４０２には、登録対象となる認証画像４０５が表示されている。続いて、ユーザが操作部１５を操作して認証画像の登録を要求する旨を入力すると、プロジェクタ１は認証画像登録状態に遷移し、図４（ａ）に示す認証画像設定枠４０６を投写する（ステップ３０１）。
【００４３】
図４（ｂ）の投写像４０３に示すように、ユーザは操作部１５を操作して、認証画像４０５を囲む位置に認証画像設定枠４０６を移動させた後、画像を決定する旨の指示を入力する。ステップ３０２で画像が決定されると、プロジェクタ１は、決定された画像を認証画像として登録してセキュリティロック機能を有効にしてよいかを確認するために、図４（ｃ）に示すように、画像登録を確認するための投写像４０４を表示する。ステップ３０３でユーザが操作部１５を操作して投写像４０４の「Ｙｅｓ」ボタンを選択すると、プロジェクタ１は認証画像設定枠４０６内の認証画像４０５を登録し（ステップ３０４）、セキュリティロック機能を有効にする。
【００４４】
このとき、ＶＲＡＭ１０４ａ内の画像データに基づいて、認証画像設定枠内の認証画像４０５ならびに認証画像設定枠４０６の位置情報およびサイズ情報が認証画像用ＲＯＭ１０９に格納される。
【００４５】
次に、セキュリティロックの動作について説明する。図５はセキュリティロックの動作手順を示すフローチャートであり、図６および図７はセキュリティロックの動作を説明するための図である。
【００４６】
図６（ａ）の左側はＰＣ画面６０１を示し、図６（ａ）の右側は登録された認証画像４０５を示す。ユーザがＰＣをプロジェクタ１に接続し、操作部１５を操作してプロジェクタ１を起動させると、プロジェクタ１は、図６（ａ）に示したＰＣ画面６０１の画像をＶＲＡＭ１０４ａに書き込む。このとき、プロジェクタ１は、図７（ａ）に示すように、ＰＣ画面６０１をＶＲＡＭ画像６０３として取り込んでいても、セキュリティロック機能によりＶＲＡＭ画像６０３を投写せず、ブルースクリーン画面の投写像６０５を表示する。
【００４７】
ユーザが操作部１５を操作して認証を要求する旨を入力すると、プロジェクタ１は、認証画像用ＲＯＭ１０９に格納された認証画像４０５と、認証画像用ＲＯＭ１０９に格納された認証画像設定枠の位置情報およびサイズ情報を読み出す。そして、図７（ｂ）に示すように、読み出した位置情報およびサイズ情報による枠６０８をＶＲＡＭ画像６０４に当てはめ（ステップ５０１）、その枠内の画像と認証画像４０５が一致するか否かを判定する（ステップ５０２）。なお、判定の間も、プロジェクタ１の投写像６０６はブルースクリーン画面のままである。
【００４８】
プロジェクタ１が認証画像用ＲＯＭ１０９に格納された認証画像４０５とＶＲＡＭ画像６０４の枠６０８の画像とが一致しないと判断すると、ステップ５０１に戻って、認証要求の指示待ちの状態になる。そして、図７（ｃ）に示すように、プロジェクタ１は、ＰＣ画面６０１を投写せず、ブルースクリーン画面を投写像６０７として表示する。
【００４９】
次に、セキュリティロックを解除する場合の動作について、図５に示したフローチャートを参照して説明する。図８および図９はセキュリティロックの解除方法を説明するための図である。なお、図６（ｂ）に示した認証画像４０５がプロジェクタ１に予め登録されているものとする。
【００５０】
ユーザがＰＣをプロジェクタ１に接続すると、図８に示すＰＣ画面６０１の画像データがプロジェクタ１に入力される。続いて、ユーザが操作部１５を操作してプロジェクタ１を起動させると、プロジェクタ１は、図８に示したＰＣ画面７０１の画像をＶＲＡＭ１０４ａに書き込む。このとき、プロジェクタ１は、図９（ａ）に示すように、ＰＣ画面７０１をＶＲＡＭ画像７０３として取り込んでいても、セキュリティロック機能によりＶＲＡＭ画像７０３を投写せず、ブルースクリーン画面の投写像７０５を表示する。
【００５１】
ユーザが操作部１５を操作して認証を要求する旨を入力すると、プロジェクタ１は、認証画像用ＲＯＭ１０９に格納された認証画像４０５と、認証画像用ＲＯＭ１０９に格納された認証画像設定枠の位置情報およびサイズ情報を読み出す。そして、図９（ｂ）に示すように、読み出した位置情報およびサイズ情報による枠６０８をＶＲＡＭ画像７０４に当てはめ（ステップ５０１）、その枠内の画像と認証画像４０５が一致するか否かを判定する（ステップ５０２）。なお、判定の間も、プロジェクタ１の投写像７０６はブルースクリーン画面のままである。
【００５２】
ここでは、ＶＲＡＭ画像７０４の枠６０８の画像と認証画像４０５が同一であるため、プロジェクタ１は、認証画像用ＲＯＭ１０９に格納された認証画像４０５とＶＲＡＭ画像７０４の枠６０８の画像とが一致すると判断する。そして、図８に示したＰＣ画面７０１を投写像７０７として表示する。
【００５３】
本発明では、認証のためのパスワードを使用者が覚える代わりに特定の画像を認証画像として予め登録し、使用開始時に、入力される画像の所定の位置に認証画像があるか否かを判定して、表示してよいかどうかを決定する。そのため、使用者は、プロジェクタに接続する情報処理装置に格納された画像から認証画像を選択して登録しておけば、パスワードを覚えておく必要がない。
【００５４】
また、セキュリティロック解除の判断を、入力される画像の所定の位置に認証画像に一致する画像があるかないかの判定で行っているため、パスワードを入力する必要がない。プロジェクタを使用するときにパスワード入力画面をスクリーンに表示する必要がなく、パスワード入力方式に比べてセキュリティロック解除方法が漏洩する危険性がない。画像表示装置がプロジェクタでない場合でも、パスワードの入力操作を行わないため、パスワード漏洩の危険性が抑制される。
【００５５】
また、ＰＣのデスクトップ画面の背景に用いられる画像である“壁紙”の中の一部の画像を認証画像に設定すれば、ＰＣを起動させるだけで、認証画像を毎回、同じ位置に表示させることが可能となる。プロジェクタの使用者は、自分のＰＣに認証画像を含む壁紙を設定すれば、自分のＰＣの画面をプロジェクタに投写させることができる。また、認証画像を変更する際、使用が許可されている人全員のＰＣに予め登録されている壁紙の画像に変更する場合、これらの人に対して、どの壁紙に変えたかを通知するだけでよい。この場合、パスワード入力方式で新たなパスワードを覚える場合よりも、使用者の負担が軽減する。新たに認証画像が設定される壁紙がＰＣに予め登録されていなければ、認証画像を変更する人がその壁紙の画像データをコピーした記録媒体を対象者に配布するか、電子メールに添付してそれぞれのＰＣ宛に送ればよい。この方法であっても、使用者がパスワードを覚える必要がないことに変わりない。
【００５６】
上記壁紙を認証画像の登録に利用する場合、プロジェクタの使用が許可されていない人が自分のＰＣをプロジェクタに接続してプロジェクタを使おうとしても、認証画像を含む壁紙と同じ壁紙を自分のＰＣに設定していない限り、登録された位置には認証画像がないため、プロジェクタを使用することができない。
【００５７】
本発明の利用が考えられる分野として、小型の据え置き型プロジェクタやモバイル向けプロジェクタが挙げられる。また、画像表示装置として、入力画像を投写するプロジェクタに限らず、入力画像を表示する薄型軽量の液晶モニタおよびプラズマディスプレイにも応用が可能である。
【図面の簡単な説明】
【００５８】
【図１】本実施形態のプロジェクタの一構成例を示すブロック図である。
【図２】画像処理部および制御部の一構成例を示すブロック図である。
【図３】認証画像の登録方法を示すフローチャートである。
【図４】認証画像の登録方法を説明するための図である。
【図５】セキュリティロックの動作手順を示すフローチャートである。
【図６】入力されるＰＣ画面および認証画像の一例を示す図である。
【図７】セキュリティロックの動作を説明するための図である。
【図８】入力されるＰＣ画面の一例を示す図である。
【図９】セキュリティロックの解除方法を説明するための図である。
【図１０】従来のパスワード入力方式におけるパスワード登録方法を説明するための図である。
【図１１】従来のパスワード入力方式におけるセキュリティロックの動作を説明するための図である。
【図１２】従来のパスワード入力方式におけるセキュリティロックの解除方法を説明するための図である。
【符号の説明】
【００５９】
１    プロジェクタ
１０    制御部
２２    記憶部
１００    画像処理部
【図１】
2008217324.tif 000003
【図２】
2008217324.tif 000004
【図３】
2008217324.tif 000005
【図４】
2008217324.tif 000006
【図５】
2008217324.tif 000007
【図６】
2008217324.tif 000008
【図７】
2008217324.tif 000009
【図８】
2008217324.tif 000010
【図９】
2008217324.tif 000011
【図１０】
2008217324.tif 000012
【図１１】
2008217324.tif 000013
【図１２】
2008217324.tif 000014